(57)【要約】【課題】  クシ歯にマスカラ薬剤を安定的に貯留し、カール効果を付与するばかりでなく、ボリューム効果・ロング効果をも付与しながら、コーミング効果も有する塗布具を提供する。【解決手段】  マスカラ液を塗布する塗布部１２が塗布部軸２１とクシ歯２０より構成された塗布具１０であって、クシ歯２０は環状片２２と突出片２３が一体で形成され、クシ歯２０は塗布部軸２１の長手方向に沿って略一定間隔で設けられ、環状片２２は塗布部軸２１の外径より大きく形成され、突出片２３は環状片２２の周方向に沿って略一定間隔をなす複数位置に設けられて塗布部軸２１の径方向の外方に突出している。【選択図】  図２
2006204904.tif 000002
【特許請求の範囲】
【請求項１】
マスカラ薬剤を塗布する塗布部が塗布部軸とクシ歯より構成された塗布具であって、クシ歯は環状片と突出片が一体で形成されたマスカラ塗布具。
【請求項２】
前記クシ歯は塗布部軸の長手方向に沿って略一定間隔で設けられ、環状片は塗布部軸の外径より大きく形成され、突出片は環状片の周方向に沿って略一定間隔をなす複数位置に設けられて塗布部軸の径方向の外方に突出している請求項１記載のマスカラ塗布具。
【請求項３】
前記クシ歯を構成する素材の弾性率が1〜200MPaであり、クシ歯の厚みが0.2〜0.6mmである請求項１〜２のいずれかに記載のマスカラ塗布具。
【請求項４】
前記塗布部軸の正面視のクシ歯の全表面積に対し、当該クシ歯の環状片の全表面積がなす比率を20％〜50％とする請求項１〜３のいずれかに記載のマスカラ塗布具。
【発明の詳細な説明】
【技術分野】
【０００１】
本発明は、マスカラ塗布具に関する。
【背景技術】
【０００２】
マスカラ薬剤は従来、睫毛に対してカール効果を訴求する物が多かったが、近年はそれに加えボリューム感やロング感も要望されるようになってきている。ボリューム感やロング感が期待されるマスカラ薬剤として高粘度薬剤や短繊維を含有する薬剤の開発が行われている。これら薬剤の機能を十分に引き出せるマスカラ塗布具が要求されていた。従来の塗布具には例えば、特許文献１に記載の如く、塗布棒の先端側から軸方向に沿って一定間隔をなす多数位置のそれぞれにクシ歯を設けたものがある。クシ歯は、塗布棒の外周を構成する塗布部軸の外周に設けられ、塗布部軸の周方向に沿って一定間隔をなす複数位置のそれぞれに突出片を設け、各突出片を塗布部軸の径方向の外方に突出している。
【０００３】
マスカラ塗布具のクシ歯をマスカラ容器に浸漬し、このクシ歯に付着したマスカラ薬剤の過剰部を該容器のしごき弁によりしごき落とし、適量のマスカラ薬剤をクシ歯間に保持させるものである。
【特許文献１】特表2002-538868
【発明の開示】
【発明が解決しようとする課題】
【０００４】
特許文献１のマスカラ塗布具には以下の問題点がある。
マスカラ塗布具は、マスカラ薬剤を収容する容器に挿入されたクシ歯に薬剤を付着させ、このクシ歯を容器から引き抜く際、クシ歯をしごくしごき弁によって薬剤付着量を調整している。クシ歯の付着量は、シゴキ弁の大きさ、クシ歯の大きさ、薬剤の粘度、クシ歯の形状等によって調整されるが、付着量は安定性に欠けていた。睫毛へのボリューム感やロング感を付与するためには前記クシ歯の付着量を多くする必要があるが、睫毛の束付きが発生したり、睫毛の根元から塗布できない、まつげに付着した薬剤の乾燥速度が遅い等の問題を有していた。また、乾燥速度を早くするためにクシ歯の付着量を少なくすると、睫毛への薬剤付着量が少ないため、カール効果・ボリューム感・ロング感を付与出来なかった。
【０００５】
本発明の課題は、クシ歯にマスカラ薬剤を安定的に貯留し、ボリューム効果・ロング効果を付与しながらも、さらにコーミング機能を有した塗布具を提供することにある。
【課題を解決するための手段】
【０００６】
本発明は、マスカラ薬剤を塗布する塗布部が塗布部軸とクシ歯より構成された塗布具であって、クシ歯は環状片と突出片が一体で形成されたマスカラ塗布具である。
【発明を実施するための最良の形態】
【０００７】
マスカラ塗布具１０は、図１に示す如く、塗布棒１１の先端部に塗布ヘッド１２を有し、クシ歯２０を軸方向に沿って略一定間隔をなすように設けている。マスカラ塗布具１０は、塗布棒１１の先端芯棒１１Ａの周囲に塗布ヘッド１２を射出成形するインサート成形にて製作される。塗布棒１１および先端芯棒１１Ａは、ＰＢＴ（ポリブチルテレフタレート）、ＰＰ（ポリプロピレン）、ＡＢＳ（ＡＢＳ樹脂）、ＰＯＭ（ポリアセタール）等の樹脂を使用できる。塗布ヘッド１２は塗布棒１１の樹脂よりも柔らかい樹脂を使用する。
【０００８】
塗布ヘッド１２は、塗布棒１１の先端芯棒１１Ａの全長に渡る外周に被着される塗布部軸２１の外周に多数のクシ歯２０を設ける。各クシ歯２０は、塗布部軸２１の軸方向に沿って略一定間隔（環状溝１３の溝巾）をなす多数位置の外周のそれぞれに設けられる環状片２２と、環状片２２の周方向に沿って略一定間隔をなす複数位置（本実施例では8個）に設けられて径方向の外方に突出する突出片２３を有する。突出片２３の外径ｄはφ4.0〜φ6.5mmである。塗布ヘッド１２は、相隣る一方のクシ歯２０の環状片２２及び突出片２３と他方のクシ歯２０の環状片２２及び突出片２３との間で、塗布部軸２１まわりに、環状溝１３を形成する。環状溝の幅は0.2〜0.7mmである。
【０００９】
クシ歯２０は、塗布部軸２１の正面視で、クシ歯２０の環状片２２及び突出片２３の全表面積Ｚ0に対する、当該クシ歯２０の環状片２２の全表面積Ｚ1の比率Ｚ1／Ｚ0を20％〜50％とする。
【００１０】
本実施例では、塗布部軸２１の外周に環状片２２及び突出片２３を一体にして塗布ヘッド１２を形成しており、クシ歯２０の環状片２２及び突出片２３の弾性率を1〜200MPaとする。
【００１１】
クシ歯２０の厚みは、0.2〜0.6mmとする。クシ歯の厚みとは、環状片と突出部の長さを合わせた中心部の厚みをいう。尚、マスカラ塗布具１０を構成する塗布ヘッド１２は、塗布部軸２１の軸方向に沿う先端側を除く一定の長さ範囲で、相隣る突出片２３の外径を同一にし、先端側の一部の長さ範囲で、突出片２３の外径を最先端側に向けて縮径するテーパ状とすることによって、マスカラ供給容器への挿入性を良好にするとともに、目じりや目頭側の睫毛に塗布しやすい形状としている。
【００１２】
マスカラ塗布具１０を構成する塗布ヘッド１２の１例としては、クシ歯２０（環状片２２及び突出片２３）並びに塗布部軸２１を柔らかい樹脂（曲げ弾性率15.1MPa）、クシ歯２０が８個の突出片２３を備える星形状、塗布部芯棒１１Ａの外径ａをφ1.75mm、塗布部軸２１の外径ｂをφ2.3mm、環状片２２の外径ｃをφ2.95mm、突出片２３の外径ｄをφ6.0mm、塗布部軸２１の外径に接する環状片２２の軸方向厚みｅを0.4mm、突出片２３の自由端の軸方向厚みｆを0.2mm、クシ歯２０（環状片２２及び突出片２３）のピッチｐを0.8mmとしている。この塗布ヘッド１２が用いられるマスカラ供給容器のしごき弁の口径はφ4.0mmとしている。
【００１３】
マスカラ塗布具１０は以下の如くに使用できる（図４）。
(1)マスカラ塗布具１０の塗布ヘッド１２のクシ歯２０をマスカラ薬剤供給容器に浸漬し、各クシ歯２０に付着したマスカラ薬剤の過剰付着分を該容器のしごき弁によりしごき落とす。マスカラ塗布具１０は、軸方向で相隣るクシ歯２０の間、主にそれらクシ歯２０の環状片２２、及び突出片２３の基端部の間にマスカラ薬剤を貯留する。
【００１４】
(2)マスカラ塗布具１０の相隣るクシ歯２０、２０の環状溝１３にまつ毛を適確に誘導し（図４（Ａ））、相隣る突出片２３、２３の間をまつ毛が通過し、環状片に形成される貯留薬剤に睫毛を付着させることができる。
【００１５】
(3)マスカラ塗布具１０のクシ歯２０がまぶたに対する距離Ｌを小さくし、まつ毛の根元からマスカラを塗布する（図４（Ｂ））。
【００１６】
(4)マスカラ塗布具１０のクシ歯２０を上まつ毛に対して上方に移動させ（図４（Ｃ））、クシ歯２０の環状片２２、及び突出片２３の基端部の間に貯留してあるマスカラ薬剤をまつ毛に塗布する（図４（Ｄ）、（Ｅ））。まつ毛に束付を発生させることなくボリューム感・ロング感のあるマスカラ薬剤を根元から塗布できた（図４（Ｆ））。
【００１７】
本実施例によれば以下の作用効果を奏する。
(a)マスカラ塗布具１０のクシ歯２０をボリューム感やロング感が期待される高粘度薬剤や短繊維を含有するマスカラ薬剤供給容器に浸漬し、このクシ歯２０に付着したマスカラの過剰部分を該容器のしごき弁によりしごき落としたとき、軸方向で相隣るクシ歯２０の間、主にそれらクシ歯２０の環状片２２、及び突出片２３の基端部の間に適量のマスカラを貯留できる。従来、高粘度薬剤や繊維入り薬剤は薬剤粘度が高いため、しごき弁によりしごき落とされる薬剤量が少なくなり、クシ歯間に多量の薬剤が貯留されるため、睫毛へ束付したり、コーミング効果が得られない等の問題を生じた。また、しごき効果を上げるためしごき弁の硬度を上げたり、しごき弁の径を小さくしたりして対応しようとすると、薬剤の保持量を安定的に保持することが困難であるばかりでなく、マスカラ薬剤供給容器から引き抜くとき、大きい力が必要となり操作性が悪くなった。
【００１８】
マスカラ塗布具１０のクシ歯２０は、環状片２２と突出片２３の一体からなる。クシ歯２０をボリューム感やロング感が期待される高粘度薬剤や短繊維を含有するマスカラ薬剤供給容器に浸漬し、このクシ歯２０に付着したマスカラの過剰分を該容器のしごき弁によりしごき落としたとき、突出片２３はしごき弁通過時に折りたたまれたように通過するため、高粘度薬剤でも十分にしごかれる。また、環状片２２はしごき弁通過時に折りたたまれずに環状片２２と環状片２２の間に適度にマスカラ薬剤を貯留できる機能を有するものでありマスカラ薬剤をクシ歯２０の環状片２２、及び突出片２３の基端部の側に安定的に貯留し、マスカラのまつ毛への束付きを生ずることがなく、マスカラ薬剤のまつ毛への塗布性を向上できる。
【００１９】
(b)クシ歯２０の突出片２３の自由端部は実質的にマスカラ薬剤を貯留せず、軸方向で相隣るクシ歯２０の突出片２３の自由端部の間の環状溝１３の周方向任意位置にまつ毛を誘導するとともに、まつ毛に対して面上で摺動することにより梳き作用がより効果的に行なわれる。
【００２０】
(c)マスカラ塗布具１０は、環状片２２と環状片２２の間をマスカラ薬剤の主貯留部とするものである。クシ歯２０の環状片２２および突出片２３の側面は、コーミングする際の動作方向が同じであるため、マスカラ薬剤と睫毛の接触を容易にし、その結果、マスカラをまつ毛の根元まで塗布し易くする。
【００２１】
(d)クシ歯２０の突出片２３が、塗布部軸２１の軸を含む正面視で自由端に向かって先細（先薄）をなすから、クシ歯２０をマスカラ供給容器のしごき弁でしごくとき、突出片２３の自由端を十分にたわみ変形させることができ、クシ歯２０の先端部に余分なマスカラ薬剤を付着させないことができる。突出片２３に余分マスカラ薬剤を付着させなくすることによって、睫毛をクシ歯間に誘導しすみやかにマスカラ薬剤を付着させることが出来るとともに、コーミング機能を発揮することができる。
【００２２】
(e)クシ歯２０の素材の弾性率は1〜200Mpa、クシ歯２０の厚みを0.2〜0.6mmとすることにより、まつ毛に対しやさしい梳きの感触を与えることができる。また、クシ歯２０をマスカラ供給容器のしごき弁でしごくとき、マスカラ容器からの引き抜き強度を抑えることができるので、操作性が良い。
【００２３】
特に薬剤が高粘度の場合（200,000〜500,000mPa・s）は、クシ歯２０の素材の弾性率を20〜50Mpa、クシ歯２０の厚みを0.2〜0.4mmとすることにより、薬剤の付着量が適量に調整できるとともに操作性が良い。
【００２４】
尚、マスカラ薬剤の粘度は下記の方法で測定される。粘度測定条件；使用機器：Ｂ型粘度計（（株）東京計器製：BR8、ロータータイプ：T-D（ヘリカル）、回転数：5rpm（基本）、測定時間：60秒、測定温度：25℃）
【００２５】
(f)クシ歯２０における塗布部軸２１の正面視で、クシ歯２０の最大径に対しての全表面積Ｚ0に対し、当該クシ歯２０の全環状片２２の表面積Ｚ1がなす比率Ｚ1／Ｚ0を20％〜50％とすることにより、マスカラ薬剤の貯留機能とコーミング機能を併せ持つことができ、ボリューム薬剤やロング薬剤にも対応できるマスカラ塗布具である。尚、クシ歯２０（環状片２２及び突出片２３）の全表面積Ｚ0は4.5〜26mm2（例えば9.9mm2）、環状片２２の表面積Ｚ1は1.5〜6mm2（例えば2.7mm2）である。
【００２６】
(g)クシ歯２０は薬剤の粘度等により、突出片２３の数を5〜12個の範囲から適宜選択することができる。
【００２７】
(h)しごき弁の内径αは下記式を満たすことが好ましい（ｃ：環状片２２の外径、ｄ：突出片２３の最大外径）。
【００２８】
（0.2×（ｄ−ｃ）＋ｃ）≦α≦（0.7×（ｄ−ｃ）＋ｃ）
【００２９】
特にこのとき、クシ歯２０を、マスカラ供給容器のしごき弁でしごくとき、突出片２３の自由端を十分にたわみ変形させることができ、クシ歯２０の先端部の余分なマスカラ薬剤を除去することによってコーミング機能を発揮することができる。また、環状片２２はマスカラ供給容器のしごき弁でしごくとき、マスカラ薬剤をクシ歯２０の環状片２２、及び突出片２３の基端部の側に安定的に貯留し、マスカラのまつ毛への束付きを生ずることがなく、マスカラ薬剤のまつ毛への塗布性を向上できる。更に、マスカラ容器からの引き抜き強度を抑えることができるので、操作性も良い。
【図面の簡単な説明】
【００３０】
【図１】図１はマスカラ塗布具を示す正面図である。
【図２】図２は図１のII−II線に沿う断面図（正面視）である。
【図３】図３は図２のIII−III線に沿う断面図である。
【図４】図４はマスカラ塗布具の使用状態を示す模式図である。
【符号の説明】
【００３１】
１０  マスカラ塗布具
１１  塗布棒
１１Ａ  塗布棒先端芯棒
１２  塗布ヘッド（塗布部）
２０  クシ歯
２１  塗布部軸
２２  環状片
２３  突出片
【図１】
2006204904.tif 000003
【図２】
2006204904.tif 000004
【図３】
2006204904.tif 000005
【図４】
2006204904.tif 000006